(57)【要約】  【課題】システムキッチンのシンク下を冷蔵スペースとして有効に活用することができる冷蔵庫を提供する。  【解決手段】システムキッチンにおいて、外枠１０の上部にシンク１１を配置するとき、その下部に冷却ユニット１２と冷蔵庫庫内の収納部１７を配設し、意匠パネルドア１５とドア断熱材１６で形成されたシステムキッチン組み込み用冷蔵庫１３を配設することにより外枠１０のシンク１１の下部を冷蔵スペースとして有効利用した冷蔵庫を提供することができる。【選択図】図３
2005342393.tif 000002
【特許請求の範囲】
【請求項１】
システムキッチンの一区画において、上部にシンクを備え、前記シンクに連通する給排水管を有する区画に、冷却ユニットと放熱部と断熱壁で囲われた冷蔵スペースとを配置した事を特徴としたシステムキッチン組み込み式冷蔵庫。
【請求項２】
冷却ユニット部が冷蔵スペースと分割できる事を特徴とする請求項１記載のシステムキッチン組み込み式冷蔵庫。
【請求項３】
放熱部は、吸気側と排気側に分割されており、吸気側に埃除去用のフィルターを配設した事を特徴とする請求項１または２に記載のシステムキッチン組み込み式冷蔵庫。
【請求項４】
放熱部は、吸気側と排気側に分割されており、吸気側を冷却ユニットに配設し、排気側を冷蔵スペースの下部に配設したことを特徴とする請求項１から３のいずれか一項に記載のシステムキッチン組み込み式冷蔵庫。
【請求項５】
放熱部の経路中に空気清浄装置を配設したことを特徴とする請求項１から４のいずれか一項に記載のシステムキッチン組み込み式冷蔵庫。
【請求項６】
冷却ユニットはペルチェ素子を利用した電子式冷蔵庫であることを特徴とした請求項１から５のいずれか一項に記載のシステムキッチン組み込み式冷蔵庫。
【発明の詳細な説明】
【技術分野】
【０００１】
本発明はシステムキッチンの一区画の下部空間に収納できるよう構成したシステムキッチン組み込み式冷蔵庫の収納形態及びその構成に関するものである。
【背景技術】
【０００２】
従来システムキッチン等に収納される機器としては、電気式レンジオーブン・テーブル、ガス式オーブン・テーブル、食器洗い乾燥機、生ごみ処理機等が主なものである。特に最近は食器洗い乾燥機でも、ボックス状の収納部が引き出し式であるものが主流となり、上部より食器がセットできるタイプのものが増えてきている。そのため、上段から下段まで引き出し式の収納部となっている。
【０００３】
しかし、その収納部の中でもシンク下については、シンク用の給排水配管があり、例えば、その部分については、他の引き出し収納部より奥行きが狭い空間となっている。システムキッチンの他の区画には保冷庫を設置している例はある（特許文献１参照）。
【０００４】
図４は、特許文献１に記載されたシステムキッチン用の保冷庫を示すものである。図４に示すように、台所収納体の組付け空間１に組み込まれる外ケース２に出し入れされる容器状の収納体３と，その収納体の奥側にペルチェ素子４、送風ファン５、及び熱交換器６等を構成し、容器状の収納体を周囲温度より低い温度にした保冷庫をシステムキッチンの収納部の一部に配設することで、食品の変質や味落ちを防止できる。また保冷庫の左右に熱交換器用の空気導入経路７と排気経路８を配設することでシステムキッチンの収納部に収まった状態でも吸排気スペースを確保できる。
【特許文献１】特開２００３―１６１５６５号公報
【発明の開示】
【発明が解決しようとする課題】
【０００５】
しかしながら、上記従来構成では、シンク下のようにシステムキッチンの奥に給排水管がある場合、冷却ユニットと放熱経路が収納空間の奥側にあり尚かつ保冷庫の左右に放熱用の吸排気部を横に設けると奥行きのない収納部となる課題を有していた。
【０００６】
本発明は、上記従来の課題を解決するもので、システムキッチンの一区画のシンクの下部等、奥側に給排水管がある空間に収納できるよう構成した冷蔵庫を提供することを目的とする。
【課題を解決するための手段】
【０００７】
上記従来の課題を解決するために、本発明のシステムキッチン組み込み式冷蔵庫は、システムキッチンの一区画において、上部にシンクを備え、前記シンクに連通する給排水管を有する区画に冷却ユニットと放熱部と断熱壁で囲われた冷蔵スペースとを配置したものである。
【０００８】
これによって、システムキッチンのシンクの下部奥側に給配水管がある空間を有効に使って冷蔵庫を設置し収納することができる。また、通常はシンクの下部等、奥側に給排水管がある空間に冷却ユニットと放熱部と冷蔵スペースを配設することにより、収納物の安全を保つことができ、空間を有効利用することができる。
【発明の効果】
【０００９】
本発明のシステムキッチン組み込み式冷蔵庫は、システムキッチン内の限られた空間において、システムキッチンの枠内に簡単にビルトイン設置でき、システムキッチンの使い勝手の向上を図ることができる。
【発明を実施するための最良の形態】
【００１０】
請求項１に記載の発明は、システムキッチンの一区画において、上部にシンクを備え、前記シンクに連通する給排水管を有する区画に、冷却ユニットと放熱部と断熱壁で囲われた冷蔵スペースとを配置した冷蔵庫を組み込むことにより、システムキッチン内の無効空間の有効利用をしながら使い勝手の向上を図ることができる。
【００１１】
請求項２に記載の発明は、請求項１記載の発明において、冷却ユニット部が冷蔵スペースと分割できることにより、システムキッチンの狭い空間に冷蔵庫を配設することができる。
【００１２】
請求項３に記載の発明は、請求項１または２に記載の発明において、放熱部は、吸気側と排気側に分割されており、吸気側に埃除去用のフィルターを配設したものであり、システムキッチン前面から埃が除去された空気の吸排気ができる。
【００１３】
請求項４に記載の発明は、請求項１から３のいずれか一項に記載の発明において、放熱部は、吸気側と排気側に分割されており、吸気側を冷却ユニットに配設し、排気側を冷蔵スペースの下部に配設したものであり、システムキッチンの狭い空間に効率的に冷蔵庫を配設することができる。
【００１４】
請求項５に記載の発明は、請求項１から４のいずれか一項に記載の発明において、放熱部の経路中に空気清浄装置を配設したものであり、冷蔵庫を運転しながら台所空間の空気を清浄することができる。
【００１５】
請求項６に記載の発明は、請求項１から５のいずれか一項に記載の発明において、冷却ユニットはペルチェ素子を利用した電子式冷蔵庫としたものであり、圧縮機を備えたものに比べ省スペース、静音化を図ることができ、寸法が制限された空間の有効活用が可能となる。
【００１６】
以下、本発明の実施の形態について、図面を参照しながら説明する。なお、実施の形態によってこの発明が限定されるものではない。
【００１７】
（実施の形態１）
図１は、本発明の実施の形態１におけるシステムキッチン組立時の冷蔵庫の斜視図であり、システムキッチンは奥行き・幅・高さなどで様々な種類があり、調理などをするワークトップ９はシステムキッチンの外枠１０の上部に構成されており、ワークトップに設置されたシンク１１の下部で、シンク１１に連通する給排水管（図示せず）を有する区画にシステムキッチン組み込み式冷蔵庫１３を配置している。また、システムキッチン組み込み式冷蔵庫１３は外枠１０によって固定され、一体化したシステムキッチンとしての役目を果たす。
【００１８】
図２は、外枠１０に冷蔵庫１３を設置した時の断面図であり、冷蔵庫ドア１４はシステムキッチン外観を統一するためなどに用いられる意匠パネルドア１５と冷蔵庫１３の庫内を断熱するためのドア断熱材１６を組み合わせて一体化して構成されている。
【００１９】
図３は、システムキッチン組み込み式冷蔵庫１３を外枠１０に取り付けた時の正面から見た内部透視図であり、システムキッチン組み込み式冷蔵庫１３は、断熱壁で囲われた収納部１７と、冷却ユニット１２と、冷却ユニット１２で発生する熱を外部に放熱する放熱ユニットとで構成している。また、冷却ユニット１２で収納部１７内を冷却するための連通口１８，１９を断熱壁の一部に設けている。
【００２０】
また、冷却ユニット１２は、ペルチェ素子２０、庫内ファンモーター２１、冷却器２２とペルチェ素子２０の熱交換させるためのヒートコンダクター２３と機械室カバー２６とからなり、放熱ユニットはペルチェ素子２０によって出された熱を排熱するための高温側の放熱器２４、放熱器２４の排熱を外部へ排気する機械室ファンモーター２５とダクトとで構成されている。また、機械室カバー２６により放熱空間と冷却ユニット１２を仕切っている。そして、システムキッチン外枠１０と機械室カバー２６により放熱ユニットの吸気ダクトを構成し、排気ダクトから排熱を行っている。また、吸気ダクトと排気ダクトは分割可能に別体構成としている。
【００２１】
そして、システムキッチン本体の一部にビルトイン機器を装着する場合、外枠１０に入れ込む方式をとり、システムキッチン組み込み式冷蔵庫１３はシンク１１下の蹴込み部に配設され、冷却ユニット１２は収納部１７と隣り合って配設している。冷却ユニット１２と冷蔵庫庫内の収納部１７を接続するため連通口１８，１９の外周は冷気が漏れないようにウレタンフォーム等のシール部材でシールされている。また、吸気ダクトの吸気口２７は放熱器２４への埃付着で放熱低下を防ぐためのフィルター２９を備え、開口面積を最大限に確保するようにしている。さらに、排気ダクトは、冷蔵庫庫内の収納部１７の下部空間に設け、排気口２８から台所空間に放出するようにしている。
【００２２】
また、排気口２８の経路中に例えば、脱臭触媒３０を配設すれば、本発明のシステムキッチン組み込み式冷蔵庫１３が運転している間、常に台所空間の臭いを吸着することができる。
【００２３】
また、配管がシンクの下にある場合、冷却ユニット１２、あるいは冷却ユニット１２で発生する熱を外部に放熱する放熱器２４等からなる放熱ユニットを収納する機械室の寸法を考慮しておけば、システムキッチン組み込み式冷蔵庫１３は容量を変更せずに取り付けられることができ、配管に関係なくビルトイン機器としてシステムキッチンに組み込むことができ、現存する配管形状に対応できる。
【００２４】
さらに、システムキッチン組み込み式冷蔵庫１３は、冷却ユニット１２にペルチェ素子２０を用いているので、設定により保冷庫や乾燥庫、温蔵庫として使用することができる。
【００２５】
以上、説明したように本発明のシステムキッチン組み込み式冷蔵庫１３は、システムキッチンの一区画において、上部にシンク１１を備え、シンク１１に連通する給排水管を有する区画に、冷却ユニット１２と放熱部と断熱壁で囲われた収納部１７を配置した冷蔵庫を組み込むことにより、システムキッチン内の無効空間の有効利用をしながら使い勝手の向上を図ることができる。
【００２６】
また、冷却ユニット１２が収納部１７と分割できる構造としたことにより、システムキッチンの一画の狭い空間に冷蔵庫を配設したり、取り出すときの作業性、サービス性が向上する。
【００２７】
また、放熱器２４で発生する熱を排出するための放熱ユニットは、吸気ダクトと排気ダクトに分割されており、吸気側に埃除去用のフィルターを配設しているので、システムキッチン前面から埃が除去された空気の吸排気ができる。
【００２８】
また、放熱器２４で発生する熱を排出するための放熱ユニットは、吸気ダクトと排気ダクトに分割されており、吸気側を冷却ユニットに配設し、排気側を冷蔵スペースの下部に配設したものであり、システムキッチンの狭い空間に効率的に冷蔵庫を配設することができる。
【００２９】
また、放熱ユニットの経路中に空気清浄装置である脱臭触媒３０を配設したものであり、冷蔵庫を運転しながら台所空間の空気を清浄することができる。
【００３０】
また、冷却ユニット１２はペルチェ素子を利用した電子式冷蔵庫としたものであり、圧縮機を備えたものに比べ省スペース、静音化を図ることができ、寸法が制限された空間の有効活用が可能となる。
【産業上の利用可能性】
【００３１】
以上のように、本発明にかかる冷蔵庫は、システムキッチン内の限られた空間を有効に活用できるので、収納スペースを有する収納機器等にも適用できる。
【図面の簡単な説明】
【００３２】
【図１】本発明の実施の形態１におけるシステムキッチン組立時の冷蔵庫の斜視図
【図２】本発明の実施の形態１におけるシステムキッチン組立時の冷蔵庫の断面図
【図３】本発明の実施の形態１におけるシステムキッチンに冷蔵庫を挿入したことを示す正面図
【図４】従来のシステムキッチン組み込み式保冷庫の斜視図
【符号の説明】
【００３３】
１１  シンク
１２  冷却ユニット
１３  システムキッチン組み込み式冷蔵庫
１７  収納部
２０  ペルチェ素子
２９  フィルター
３０  脱臭触媒
【図１】
2005342393.tif 000003
【図２】
2005342393.tif 000004
【図３】
2005342393.tif 000005
【図４】
2005342393.tif 000006